(57)【要約】【課題】  パッキンによるシールが確実で漏水が発生せず、操作性が良好であり、しかも固定板の加工性の優れた混合水栓を提供する。【解決手段】  水栓本体２に装着されるケース３は底面に形成された支持部１１に給水通路１２，給湯通路１３，吐出通路１４が穿設され、各通路１２，１３，１４と連通する給水孔３１，給湯孔３２，吐出孔３３が穿設された固定板１９と、この固定板１９の各孔３１，３２，３３と連通する混合室３７が形成された可動板２０とが摺動自在に重ね合わせてケース３の支持部１１に配置され、ケース３は各通路１２，１３，１４を区画するためのパッキン２８が収容される収容溝２７が、パッキン２８より縦方向に短く形成される混合水栓Ａにおいて、前記ケース３の支持部１１は収容溝２７の外周側周囲に、その上端面がパッキン２８の上端面より高くした側壁２９が形成されている。【選択図】  図３
2005214256.tif 000002
【特許請求の範囲】
【請求項１】
水栓本体に装着されるケースは底面に形成された支持部に給水通路，給湯通路，吐出通路が穿設され、各通路と連通する給水孔，給湯孔，吐出孔が穿設された固定板と、この固定板の各孔と連通する混合室が形成された可動板とが摺動自在に重ね合わせてケースの支持部に配置され、ケースは各通路を区画するためのパッキンが収容される収容溝が、パッキンより縦方向に短く形成され、パッキンは収容溝からはみ出すことで支持部と固定板との間には隙間が形成され、可動板と連繋したレバーの操作で湯水の流量と温度とが調節される混合水栓において、前記ケースの支持部は収容溝の外周側周囲に、その上端面がパッキンの上端面より高くした側壁が形成されたことを特徴とする混合水栓。
【発明の詳細な説明】
【技術分野】
【０００１】
この発明は、湯水の流量と温度とをレバーの操作で調節するシングルレバー式の混合水栓に関する。
【背景技術】
【０００２】
一般にこの種のシングルレバー式の混合水栓においては、水栓本体には混合水栓の外部に配置された給水管，給湯管とそれぞれ連通する給水通路，給湯通路と、外部への吐水のための吐水通路とが形成されている。水栓本体の上部には略円筒形状のケースが装着され、ケースの内部には給水孔，給湯孔が穿設された固定板と、混合室が形成された可動板とが互いに上下に重ね合わせた状態で収容されている。そして、給水通路，給湯通路は、ケースに穿設された水孔，湯孔を介して固定板に穿設された給水孔，給湯孔とそれぞれ連通し、可動板と連繋したレバーの操作により可動板を固定板に対して相対移動させることにより、給水通路から供給される水と給湯通路から供給される湯との流量及び温度が調整され、その調節された湯水が吐出通路を介して外部へ吐出されるようになっている。
【０００３】
そして、特許文献１の混合水栓では、ケースの内部で固定板と向かい合う上面に弾性力を備えたパッキンを介在させ、パッキンは水孔，湯孔の周縁に装着される。ケースの上面と固定板との間にはパッキンにより隙間が形成され、パッキンによりケースの上面と固定板との水密を良好に維持し、隙間を形成することでケースと固定板とは互いに干渉することがなく、レバーを軽快に操作できるようにしている。ところが、給水管から供給される水、又は給湯管から供給される湯の水圧が比較的高い場合、又は水圧が急に変動した場合、パッキンは隙間を通過する水，又は湯の高い水圧が直接作用するため、ケースと固定板との間で弾性変形してしまい、ケースと固定板との水密状態を良好に維持することができず漏水が発生したり、変形したパッキンが抵抗となりレバーにより可動板を移動させる操作力が重くなるという問題があった。
【０００４】
【特許文献１】実開平１−１０６６８０号公報
【発明の開示】
【発明が解決しようとする課題】
【０００５】
そこでケースと固定板との水密状態を確実に維持し、レバーの操作性を良好としたものとして、図８のものがある。この図８ではパッキン５２を装着するための収容溝５０ａ，５１ａはケース５０と固定板５１との両方に互いに向かい合うように形成され、パッキン５２は両収容溝５０ａ，５１ａの内部に跨るように装着されており、両収容溝５０ａ，５１ａでパッキン５２の上下両端を保持したものである。
【０００６】
ところがこのような混合水栓においても、ケースと固定板との間でパッキンを装着することにより形成される隙間から水圧が加わると、パッキンの一部は隙間と横方向に向かい合っているため撓んでしまい、漏水が発生したり、レバーの操作性に影響を及ぼす。しかも、ケースだけでなく固定板の底面側にもパッキンを収容するための収容溝を形成する必要があるが、通常、シングルレバー式の混合水栓に使用される固定板は、セラミックにより形成されており、セラミックは他の材質である例えば金属又は樹脂等と比較して加工性が悪く、無理に切削を行なうと変形したり破損する恐れがあるため平面とすることが望ましく、凹凸はできる限り少なくするほうがよいが、上記の混合水栓では収容溝に装着されたパッキンによりシール性を向上させることはできるが、固定板の加工性が悪く、高価なものになるという課題を抱えていた。
【０００７】
この発明は、このような従来の技術に存在する問題点に着目してなされたものであり、その課題は、湯水の流量と温度とがレバーの操作で調節される混合水栓において、パッキンによるシールが確実で漏水が発生せず、かつ操作性が良好であり、しかも固定板の加工性の優れた混合水栓を提供することである。
【課題を解決するための手段】
【０００８】
上記目的を達成するため、請求項１に記載の発明は、水栓本体に装着されるケースは底面に形成された支持部に給水通路，給湯通路，吐出通路が穿設され、各通路と連通する給水孔，給湯孔，吐出孔が穿設された固定板と、この固定板の各孔と連通する混合室が形成された可動板とが摺動自在に重ね合わせてケースの支持部に配置され、ケースは各通路を区画するためのパッキンが収容される収容溝が、パッキンより縦方向に短く形成され、パッキンは収容溝からはみ出すことで支持部と固定板との間には隙間が形成され、可動板と連繋したレバーの操作で湯水の流量と温度とが調節される混合水栓において、前記ケースの支持部は収容溝の外周側周囲に、その上端面がパッキンの上端面より高くした側壁が形成されたものである。
【発明の効果】
【０００９】
請求項１では、ケースの支持部は収容溝の外周側周囲に、その上端面がパッキンの上端面より高くした側壁が形成されているので、ケースと固定板との間の隙間を通過する圧力水がパッキンに対し作用しても、パッキンは圧力水の加わる方向と反対側で側壁により支持されているため変形することがなく、ケースと固定板との間の漏水が防止され、レバーの操作性が維持される。また、従来の混合水栓のように、固定板の底面にパッキンを収容するための溝を形成する必要がなく、固定板がセラミックであっても加工が容易で安価に製作可能である。
【発明を実施するための最良の形態】
【００１０】
以下、本発明の実施例を図に基づいて詳細に説明する。
【実施例１】
【００１１】
図１に示すように、洗面台や流し台等のカウンター１に取り付けられる混合水栓Ａはシングルレバー式であり、略円筒状の水栓本体２と、この水栓本体２の上部に配置され、湯水の流量と温度とを調節するための弁機構４が収容されるケース３と、水栓本体２の外周面に外嵌され、弁機構４で調節された湯水が吐水される吐水管５と、前記ケース３を水栓本体２の上部に固定するための固定ナット６と、弁機構４と連繋し吐水管５から吐水される湯水の流量及び温度を調節するためのレバー７とを備えている。
【００１２】
前記水栓本体２は略円筒状に形成され、下部底面には螺子軸８が固定されている。そして、混合水栓Ａをカウンター１に穿設された取付孔１ａの上部に配置した状態で、取付孔１ａに上部から貫通した螺子軸８に対し、カウンター１の下部から座金９を挿通し、固定部材１０を螺子軸８に螺着することで、水栓本体２と座金９とによりカウンター１を挟着し、混合水栓Ａはカウンター１に取り付けられるものである。また、図２に示すように水栓本体２の上面には前記ケース３が装着される支持部１１が形成され、この支持部１１には円形で同一外径の給水通路１２，給湯通路１３が隣接して穿設され、さらに両通路１２，１３より大径の円形で吐水管５と連通する吐出通路１４が穿設されている。そして、水栓本体２の上部外周面には雄ねじ１５が形成されており、この雄ねじ１５には前記固定ナット６の内周面に形成された雌ねじ６ａが螺合され、ケース３は水栓本体２の支持部１１に固定されるものである。
【００１３】
図３に示すように、前記ケース３は合成樹脂材で形成された下ケース１７と上ケース１８とからなり、ケース３の内部には弁機構４が収容され、下ケース１７と上ケース１８とは弁機構４が収容された状態で上下に着脱自在に結合される。弁機構４は、略円盤状でセラミック製の固定板１９と、この固定板１９と同一素材からなる可動板２０とを上下に水密的に重ね合わせて構成され、可動板２０の上部にはスライダー２１が結合され、このスライダー２１の上面にはアーム２１ａが結合されている。
【００１４】
図４は下ケース１７の斜視図であり、図５は下ケース１７と固定板１９との斜視図である。下ケース１７は上部に開口する開口部２２が形成された有底円筒状で、開口部２２の底面にはシート部２３が形成されている。このシート部２３には、前記本体２の支持部１１に穿設された給水通路１２，給湯通路１３，及び吐出通路１４とそれぞれ連通する水孔２４，湯孔２５及び混合孔２６が上下に貫通して穿設されており、各孔２４，２５，２６の上部周縁には仕切部２７ａ，２７ｂ，２７ｃが形成され、この仕切部２７ａ，２７ｂ，２７ｃの外側に収容溝２７が形成されている。収容溝２７内には固定板１９との水密を維持し、シート部２３から固定板１９への水，湯，湯水の流路を区画するためのパッキン２８が収容される。パッキン２８は例えばゴム，樹脂などの弾性体で、シート部２３の水孔２４と連通する第１孔２８ａと、湯孔２５と連通する第２孔２８ｂと、混合孔２６と連通する第３孔２８ｃとが形成されている。収容溝２７の外周側周縁には、前記仕切部２７ａ，２７ｂ，２７ｃの高さと比較して上下の高さを高くした側壁２９が形成されている。図６に示すように、側壁２９はその上端面２９ａが収容溝２７に収容された状態のパッキン２８の上端面より高くなるように起立し、パッキン２８を外側から覆うようにしている。側壁２９には周方向に所定の間隔をおいて３つの突部３０が形成され、この突部３０は側壁２９から上部方向に向けて突出しており、固定板１９を下ケース１７のシート部２３に配置した場合に、回転しないように位置決めするためのものである。
【００１５】
ここで図６に示すように、下ケース１７の収容溝２７に収容されるパッキン２８は収容溝２７より上下に長く、上部側が収容溝２７からはみ出すことで、下ケース１７と固定板１９との間には隙間Ｂが形成される。隙間Ｂは水孔２４，湯孔２５，混合孔２６のいずれかと連通しているため、通水時にシート部２３と固定板１９との間で各孔２４，２５，２６を通過する流体の圧力水が隙間Ｂからパッキン２８に対し横方向から直接作用するが、パッキン２８は隙間Ｂと反対側である外周側が側壁２９に支持されていることで、変形したり傷の付くことがないようにしている。
【００１６】
前記固定板１９と可動板２０とは上下に摺り合わせ状に向かい合わせて配置され、図７に示すように固定板１９は両面に貫通する略円弧状の給水孔３１，給湯孔３２，及び略扇形状の吐出孔３３が穿設され、この給水孔３１は下ケース１７の水孔２４に、給湯孔３２は湯孔２５に、吐出孔３３は混合孔２６に連通するように対応させている。また、図５に示すように固定板１９の底面部１９ａは下ケース１７のシート部２３と向かい合い、この底面部１９ａには、シート部２３の側壁２９と上下に重なり合う位置に凹部３４が固定板１９の外周面で上下高さ方向の一部を切削することで環状に形成されている。このように、固定板１９は底面部１９ａに凹部３４を形成することで、底面部１９ａには、凹部３４と給水孔３１，給湯孔３２，及び吐出孔３３との間で下方に向けて突出する押圧部３５が形成され、押圧部３５は下ケース１７の収容溝２７に収容されたパッキン２８と上下に向かい合う位置となり、固定板１９側からパッキン２８を押圧することができるものである。また、固定板１９の外周縁には前記下ケース１７の突部３０と同一の間隔で保持溝３６が形成され、固定板１９を下ケース１７の上部に配置した場合に、下ケース１７の突部３０は固定板１９の保持溝３６と互いに嵌合することで、固定板１９は下ケース１７の開口部２２内で回転しないように配置される。
【００１７】
図７に示すように前記可動板２０は固定板１９と比較してひと回り外径が小さく、底面側の摺接面２０ａを固定板１９の上面に重ね合わせて摺動させることで、前記給水孔３１又は給湯孔３２のどちらか一方、或いは両方と連通して、水，湯を前記吐出孔３３へ供給する混合室３７が両面に貫通して形成され、この混合室３７には通過する水，湯の通水音を低減するための網３８を介在させている。
【００１８】
図１に示すように、前記吐水管５は、本体２の外周面に回転自在に外嵌される円筒部３９と、この円筒部３９から上部傾斜方向に延設された吐水部４０とを備えており、この吐水部４０の先端から湯水は外部へ吐水される。
【００１９】
前記弁機構４の可動板２０と結合したアーム２１ａは他端にレバー７が結合され、レバー７を上下に操作することで、アーム２１ａを介して可動板２０は前後に移動し、吐水管５から吐水される湯水の吐水と止水及び流量調節が行なわれ、レバー７を左右へ回転操作することで、アーム２１ａを介して可動板２０は左右に回転し、湯水の温度が調節されるものである。
【００２０】
本発明の混合水栓Ａにおいて、レバー７を正面から横方向へ回動操作したときには、アーム２１ａを介して可動板２０が水平方向へ回動される。この水平方向への回動により、固定板１９の給水孔３１及び給湯孔３２に対する可動板２０の混合室３７の開口面積が変更されて、水と湯との混合比が調節される。また、レバー７を上下方向へ回動操作したときには、アーム２１ａを介して可動板２０が直線的に水平移動される。この水平移動により、固定板１９の給水孔３１及び給湯孔３２に対する可動板２０の混合室３７の開口面積が変更されて、湯水の吐出流量が調整されるようになっている。従って、固定板１９と可動板２０とにより流体としての水及び湯の流量が制御される。
【００２１】
本発明の混合水栓では、通水時に圧力水がケースの支持部と固定板との間を通過する際に、支持部の収容溝に装着されたパッキンに対し圧力水が作用する。パッキンは圧力水が作用することにより、収容溝の内壁面に水密的に圧着してケースと固定板との水密が維持される。この場合、パッキンは収容溝から上部に露出しているが、収容溝の外周側には圧力水の加わる方向と反対側でパッキンを保持するための側壁が形成されており、隙間を通過する水または湯の圧力水が横方向からパッキンに加わっても、パッキンは変形することがなく、ケースと固定板との水密状態を良好に維持することができるものである。
【図面の簡単な説明】
【００２２】
【図１】本発明の混合水栓をカウンターに取り付けた状態の縦断面図である。
【図２】混合水栓の支持部を表わす斜視図である。
【図３】弁機構が収容されたケースの縦断面図である。
【図４】下ケースとパッキンとの分解した状態の斜視図である。
【図５】下ケースと固定板との分解した状態の斜視図である。
【図６】図３の主要部分の拡大説明図である。
【図７】固定板と可動板との斜視図である。
【図８】従来技術の説明図である。
【符号の説明】
【００２３】
２    ：水栓本体
３    ：ケース
７    ：レバー
１１  ：支持部
１２  ：給水通路
１３  ：給湯通路
１４  ：吐出通路
１９  ：固定板
２０  ：可動板
２７  ：収容溝
２８  ：パッキン
２９  ：側壁
３１  ：給水孔
３２  ：給湯孔
３３  ：吐出孔
３４  ：凹部
３７  ：混合室
Ａ    ：混合水栓
Ｂ    ：隙間
【図１】
2005214256.tif 000003
【図２】
2005214256.tif 000004
【図３】
2005214256.tif 000005
【図４】
2005214256.tif 000006
【図５】
2005214256.tif 000007
【図６】
2005214256.tif 000008
【図７】
2005214256.tif 000009
【図８】
2005214256.tif 000010